(57)【要約】【課題】カサ歯車にかゝるスライド荷重を軽減して、巻き取り・巻き戻し操作を楽に行えるようにする。【解決手段】シートの巻取軸端部に、駆動と被動のカサ歯車を配置した取付具を内蔵してなるギアボックスを固定し、ギアボックスに中継パイプを連結し、中継パイプにハンドルを接続し、中継パイプと連動して水平回動する駆動ギアに噛合する被動ギアによって巻取軸が回動するシート巻き取り装置において、被動ギア側の取付具壁面と、他方の側の取付具壁面に臨んでボールベアリングを取り付ける。【選択図】図１
0003131510.tif 000002
【実用新案登録請求の範囲】
【請求項１】
シートの巻取軸端部に、駆動と被動のカサ歯車を配置した取付具を内蔵してなるギアボックスを固定し、ギアボックスに長尺の中継パイプを連結し且つ中継パイプにハンドルを接続し、中継パイプと連動して水平回動する駆動ギアに噛合する被動ギアによって巻取軸が回動するシート巻き取り装置において、被動ギア側の取付具壁面と、他方の側の取付具壁面に臨んでボールベアリングを取り付けたことを特徴とするシート巻き取り装置。
【請求項２】
ボールベアリングは、取付具の左右壁面に固着した保持具に収納され、該保持具内面を巻取軸を固定した筒状体が回動することを特徴とする請求項１記載のシート巻き取り装置。
【考案の詳細な説明】
【技術分野】
【０００１】  本考案は、ビニールハウスに用いられるシート巻き取り装置に関する。
【背景技術】
【０００２】  ビニールハウス用のシート巻き取り装置には、ハウスに近接して立設したポールに本体を取り付け、ポールに沿って本体が上下に移動することで側壁にあるシートの巻き取り・引き出しが行われる仕組みのもの（例えば特許文献１参照）と、ハウスの天井部近傍に配置され、天井を覆うシートの巻取軸にギアボックスを取り付け、該ギアボックスに長めの中継棒を接続し、中継棒の端部にハンドルを取り付けて巻き取り・引き出しを行う仕組みのもの（例えば特許文献２参照）などがある。
【特許文献１】実用新案登録第２５６９５７８号公報（図４）
【特許文献２】実開平６−７９２３２号公報
【考案の開示】
【考案が解決しようとする課題】
【０００３】  巻取軸にギアボックスを取り付けて高所の天井シートを巻き上げたり巻き戻す装置の場合、ギアボックス内には従来からカサ歯車を用いる手法がとられている。この装置における出力側に３００ｋｇの力を必要とすると、カサ歯車にはスライド荷重がかゝるため入力側には少なくとも１８０ｋｇの負荷がかゝり、したがってハンドルの回転にかなりの操作力・労力を要するという問題がある。しかしながらギアボックス内に配置したカサ歯車機構は従来からの回動部を軸受けで支承する仕組みを踏襲しており、回転力にともなって車が軸方向に押圧されるために軸受けに起こる動力の摩擦損失が平歯車より多く効率も幾分悪くなるという不利は免れず、それゆえ操作には依然として相応の操作力を必要とするものの未だ有効な手立てが施されていないのが実情といえる。本考案は簡単な構成により、カサ歯車にかゝるスライド荷重を軽減してハンドル操作を楽に行えるようにした、シート巻き取り装置を提供することを目的とする。
【課題を解決するための手段】
【０００４】    上記目的を達成するため本考案は、シートの巻取軸端部に、駆動と被動のカサ歯車を配置した取付具を内蔵してなるギアボックスを固定し、ギアボックスに長尺の中継パイプを連結し且つ中継パイプにハンドルを接続し、中継パイプと連動して水平回動する駆動ギアに噛合する被動ギアによって巻取軸が回動するシート巻き取り装置において、被動ギア側の取付具壁面と、他方の側の取付具壁面に臨んでボールベアリングを取り付けたことを特徴としている。【０００５】  ボールベアリングは、取付具の左右壁面に固着した保持具に収納され、該保持具内面を巻取軸を固定した筒状体が回動することを特徴とする。
【考案の効果】
【０００６】  取付具壁面に臨ませたボールベアリングが被動ギアにかゝる横方向のスライド荷重を軽減してギアの回転をスムースにするため、被動ギアと噛合している駆動ギアにかゝる負荷も軽くなって中継パイプに接続したハンドル操作が楽に行われ、したがってシートの巻き取り・巻き戻し作業の能率アップが図られる。【０００７】  取付具内部のギア機構を特別に変えることなくボールベアリングを取り付けることができ、構造もシンプルで製造に複雑な工程もかゝらないので安価に提供できる。
【考案を実施するための最良の形態】
【０００８】  図１は天井シート５０の端部に巻取軸１０が設けられ、巻取軸１０の端部にギアボックス２０を取り付け、ギアボックス２０に中継パイプ３０を連結し、中継パイプ３０にＬ字形のハンドル４０を接続してなる本案を装置したビニールハウス６０であり、図２は上記ギアボックス２０、中継パイプ３０、ハンドル４０を拡大して示したものである。【０００９】  図３はギアボックス２０の内部機構の概略を示し、図４はその要部を断面としたものである。すなわち、取付具２１の中央下部には駆動ギア２２があり、駆動ギア２２の中心軸２３が、ジョイント２４を介して中継パイプ３０と繋がっている。したがってハンドル４０を操作して中継パイプ３０が回動すると駆動ギア２２が水平回動をする。【００１０】  ２５は駆動ギア２２と噛合した被動ギアで、取付具２１の片方（図では左側）の壁面２１ａに近接している。被動ギア２５は、巻取軸１０を取り付ける筒状体２６に固定してあり、長めのボス２５ａの端部が取付具２１の他方（図では右側）の壁面２１ｂに臨んでいる。【００１１】  被動ギア２５側の取付具壁面２１ａと他方の側の取付具壁面２１ｂに臨んで夫々ボール
0003131510.tif 000003
のボールベアリング２７が壁面２１ａ・２１ｂに接するため被動ギア２５が該壁面に直接しないですむ。【００１２】  そしてボールベアリング２７は、取付具２１の左右壁面２１ａ・２１ｂに固着した保持具２８・２９に収納されている。ボールベアリング２７は被動ギア２５に連動して全体が回動するものではなく、被動ギア２５が回動すると個々のボールがフリー作動し、摩擦抵抗が少ないため駆動ギア２５の回動をスムースにする機能を発揮する。【００１３】  ボールベアリング２７を収納する保持具２８・２９は、筒状体２６に対しあたかも軸受けのように働くもので、それゆえ被動ギア２５と筒状体２６が回動することにより巻取軸１０が回動する。保持具２８・２９は、左右の内面側を壁面２１ａ・２１ｂの内面側に密接し、左右の外面側を壁面２１ａ・２１ｂの外面側に下方から突出させ且つ上向きに屈曲して夫々の壁面外部に固定する。こうすることにより各壁面２１ａ・２１ｂの内外面（両側）に確固として固定されるので微動することもない。【００１４】  天井シート５０の巻き取り・巻き戻しはハンドル４０を正逆回動して行われる。すなわちハンドル４０を回動すると中維パイプ３０も回動し、中継パイプ３０とともにジョイント２４・中心軸２３も連動して駆動ギア２２が回動するので、駆動ギア２２に噛合している被動ギア２５が回動する。該被動ギア２５の回動に伴って筒状体２６が回動して巻取軸１０が回動させられ、従って天井シート５０が所望の状態に巻き取り・巻き戻しされる。【００１５】  回動する筒状体２６及び被動ギア２５を支承するものは従来であると取付具２１の壁面に固定した軸受けであるが、本案では壁面２１ａ・２１ｂに固定した保持具２８・２９となる。そして保持具２８・２９内のボールベアリング２７が被動ギア２５と壁面２１ａ・２１ｂに接し、このため軸方向にかゝるスライド荷重が軽減される結果、従来は出力側にかゝる負荷が３００ｋｇであると入力側のハンドル４０にかゝる負荷が１８０ｋｇを要したところ、本案装置を使用すると３０ｋｇ減の１５０ｋｇですむことが確認できた。
【図面の簡単な説明】
【００１６】
【図１】本案装置が取り付けられるビニールハウスの外観図である。
【図２】中継パイプとハンドルを接続したギアボックスの外観図である。
【図３】取付具にギア機構を装置した外観図である。
【図４】本案要部を示す説明図である。
【符号の説明】
【００１７】  １０  巻取軸      ２０  ギアボックス      ２１  取付具    ２１ａ・２１ｂ  壁面
２２  駆動ギア    ２３  中心軸      ２４  ジョイント      ２５  被動ギア
２５ａ  ボス      ２６  筒状体      ２７  ボールベアリング
２８・２９  保持具    ３０  中継パイプ    ４０  ハンドル
５０  天井シート      ６０  ビニールハウス
【図１】
0003131510.tif 000004
【図２】
0003131510.tif 000005
【図３】
0003131510.tif 000006
【図４】
0003131510.tif 000007